(57)【要約】【課題】着座者の体のずれを阻止する椅子用マットの提供。【解決手段】椅子の座面２に敷かれる平板状のクッション部材５と、該クッション部材の臀部座面８に埋設されたゲル状部材９と、上記クッション部材の大腿部座面１１表面に着脱自在に取りつけられ、上記臀部座面８より上記大腿部座面を高くする嵩高部材１２とからなり、該嵩高部材は、着座者の左右方向の分割線１６にて分割された複数個の嵩高部材部分１３よりなり、該嵩高部材部分の個数を任意に変えることにより上記嵩高部材の前後方向の幅Ｄを変更可能としたものである。【選択図】　　　　図１
2004073713.tif 000002
【特許請求の範囲】
【請求項１】
椅子の座面に敷かれる平板状のクッション部材と、該クッション部材の臀部座面に埋設されたゲル状部材と、上記クッション部材の大腿部座面表面に着脱自在に取りつけられ、上記臀部座面より上記大腿部座面を高くする嵩高部材とからなり、該嵩高部材は、着座者の左右方向の分割線にて分割された複数個の嵩高部材部分よりなり、該嵩高部材部分の個数を任意に変えることにより上記嵩高部材の前後方向の幅を変更可能としたことを特徴とする椅子用マット。
【請求項２】
上記嵩高部材は、着座者の前後方向中央の分割線にて分割され、左右大腿部の座面に対応した嵩高部材部分よりなることを特徴とする請求項１記載の椅子用マット。
【発明の詳細な説明】
【０００１】
【発明の属する技術分野】
本発明は、椅子特に車椅子の座面に敷かれて有益な椅子用マットに関する。
【０００２】
【従来の技術】
体が不自由な患者が車椅子で移動する場合、振動により体が前にずれて不安定な姿勢になりやすく、また患者の仙骨が座面にあたって圧迫され褥創の原因になるおそれがある。従来このような不具合を解消するため、座面にマットを敷き、かつマット前部、すなわち大腿部が接する座面に肉厚部分あるいは補高材を載置して、臀部が前にずれない構造としたものがある（特開平１１−３０９０４７号公報、特開２００２−８５２０７号公報）。
【０００３】
【発明が解決しようとする課題】
上記公報において大腿部座面に配置される肉厚部分あるいは補高材は、大腿部を持ち上げて着座した患者の臀部が前にずれるのを防ぎ、安定な姿勢に保つ作用は得られるものの、その前後方向の幅が一定であるために患者の体格の大きさに応じてその幅を調整できないという不具合がある。すなわち体の大きな患者の場合、臀部が肉厚部分あるいは補高材に当たって不快感を感じさせ、あるいは所期の目的とは逆に褥創発生を促進させるおそれさえある。
【０００４】
本発明は、このような事情を考慮してなされたものであり、上記肉厚部分あるいは補高材（以下本発明においては嵩高部材という）の前後方向の幅を任意に変更できる構造として、嵩高部材による患者の不快感を最小限のものにすると同時に、臀部座面にゲル状部材を埋設して臀部に加わる患者の体重を分散させる椅子用マットを提供するものである。
【０００５】
【課題を解決するための手段】
本発明（請求項１）は、椅子の座面に敷かれる平板状のクッション部材と、該クッション部材の臀部座面に埋設されたゲル状部材と、上記クッション部材の大腿部座面表面に着脱自在に取りつけられ、上記臀部座面より上記大腿部座面を高くする嵩高部材とからなり、該嵩高部材は、着座者の左右方向の分割線にて分割された複数個の嵩高部材部分よりなり、該嵩高部材部分の個数を任意に変えることにより上記嵩高部材の前後方向の幅を変更可能としたものである。
【０００６】
かかる構成において、嵩高部材は複数個の嵩高部材部分に分割され、患者の体格に合わせ、具体的には座面上の患者の大腿部の長さに合わせてその幅が調整され、クッション部材の大腿部座面に取りつけられる。またクッション部材の臀部座面に埋設されたゲル状部材により臀部に加わる体重が効率よく分散される。
【０００７】
本発明（請求項２）において、上記嵩高部材は、着座者の前後方向中央の分割線にて分割され、左右大腿部の座面に対応した嵩高部材部分よりなるものである。
【０００８】
かかる構成において、嵩高部材部分は左右大腿部にそれぞれ単独に取りつけることができる。例えば片足のみ不自由な患者が、車椅子に座った状態で正常な一方の足を床につき車椅子を前進させる動作をすることがあるが、かかる動作をするには正常な足の大腿部座面には嵩高部材部分が存在しない方が望ましいのである。なおこの場合、他方の不自由な足の大腿部座面には嵩高部材部分が存在して体のずれを抑制し、正常な姿勢を維持する作用をなす。
【０００９】
【発明の実施の形態】
以下、本発明の一実施形態を図面に基づき説明する。
【００１０】
図１〜図４において、１は車椅子、２は車椅子の座面である。３はこの車椅子１に座る体の不自由な人や患者、４は患者３が座る車椅子１の座面２に敷かれる椅子用マットである。
【００１１】
椅子用マット４は、図１に示すように、座面２に敷かれる平面形状のクッション部材５を有している。このクッション部材５としては、厚さ約３ｃｍのポリウレタンフォーム等の緩衝材料を用いることができる。クッション部材５の底面には、座面に敷いたときずれたりしないように滑り止めシート６が全面的に貼り付けられている。滑り止めシート６は、ナイロン織布にポリウレタンを含浸した滑り止め部材を用いることができる。
【００１２】
クッション部材５において、患者３の臀部７が当たる臀部座面８には、ポリエチレンゲル等よりなるゲル状部材９より形成された厚さ約１ｃｍの矩形シート状の補助クッション材をその上方位置に埋設し、二重構造とし、クッション性を高めると同時に臀部７に加わる患者の体重を分散させ姿勢の安定及び座り心地を良くしている。
【００１３】
クッション部材５の前方部は、座った患者３の大腿部１０を受ける大腿部座面１１とされ、ここには臀部座面８より大腿部座面１１を高くする嵩高部材１２が配設されている。嵩高部材１２は、複数個、本実施例では３個の細長い長方体形状をした嵩高部材部分１３より構成されている。こうして嵩高部材１２により、座った患者３の大腿部１０を少し持ち上げ気味とすることで、着座した患者３の臀部７を前にずれないようにし、安定した姿勢で座り続けられるようになる。
【００１４】
これら嵩高部材部分１３のうち、臀部座面８との境に位置する嵩高部材部分１３は、臀部座面８に向かい低くなるよう傾斜した断面直角３角形状の嵩高部材部分に形成され、嵩高の大腿部座面１１とそれより低い臀部座面８とが緩いスロープでつながって、段差にならないようにしている。ゲル状部材９を埋設したクッション部材５は、その全体をカバーシート２０で被覆されている。このカバーシート２０は、ポリエステル織布にウレタンコーティングを施したシートが使用でき、ゲル状部材９の滲出を防ぐため非通気性とされている。
【００１５】
複数個の嵩高部材部分１３には、それぞれその裏面に面状ファスナー１４が形成されている。また、各嵩高部材部分１３も、上記クッション部材５と同様に、ポリエステル織布にウレタンコーティングを施したカバーシート２１で、その全体が被覆されている。一方、クッション部材５の大腿部座面１１の方の表面にも、面状ファスナー１５が形成されている。従って、嵩高部材部分１３はその１つ１つが大腿部座面１１に、互いの面状ファスナー１４，１５でもって、自在に取り付け固定したり取り外したりすることができる。面状ファスナー１４，１５は、嵩高部材部分１３の裏面側が鈎部にて、また大腿部座面１１の表面側がループ部にて構成されている。ループ部の方が感触が柔らかいため、この面を体が接触する大腿部座面１１表面に配置したものである。
【００１６】
このように、個々の嵩高部材部分１３は、クッション部材５の大腿部座面１１に互いの面状ファスナー１４，１５によって着脱自在に装着することができるので、その取付個数を変更することができる。したがって、取り付けた個数により、嵩高部材１２の前後方向の幅Ｄを自在に調整することができる。これにより着座者の大腿部１０の長さに合わせた嵩高部材１２を得ることができるため、体格が違っても着座者の大腿部１０は、嵩高部材１２にフィットし良い感触で受けられ、違和感、不快感は軽減し長時間座っても楽である。
【００１７】
また、複数個の嵩高部材部分１３を取り付けたとき、隣り合った嵩高部材部分１３同士の間に形成される複数の溝１６（分割線）は、通気作用を有する。嵩高部分１２で大腿部１０を密着して受けても、この部分でムレを解消でき、感触を良いものとすることができると共に、衛生性をも維持できる。
【００１８】
図５および図６は、他の実施形態に係わるもので、嵩高部分１２を左右の足の大腿部１０に対応して個々に設けられるようにしたものである。
【００１９】
そのために、図１に示す嵩高部材部分１３を、さらに着座者の前後方向中央の分割線１７にて、左右２列に分割した構成の嵩高部材部分１８からなる嵩高部材１９ａ，１９ｂとしている。その左右２列の嵩高部材１９ａ，１９ｂを構成する各列の嵩高部材部分１８には、夫々に面状ファスナー１４がその裏面に形成されている。クッション部材５の大腿部座面１１にも、先の実施例と同様に、面状ファスナー１５が全面的に設けられている。この嵩高部材１９ａ，１９ｂもまた前述同様、嵩高部材部分１８の数は、１〜３個の範囲で変更、調整できる。
【００２０】
使用例の一例を示すと、左足が不自由で右足が正常な患者３が車椅子１に座った場合、図６に示すように、クッション部材５の大腿部座面１１に、左側列だけ嵩高部材１９ｂを備えさせることができる。
【００２１】
このように、大腿部座面１１の左側片方だけに嵩高部材１９ｂが配置され、もう片方の右側は嵩高部材１９ａを外した場合、着座者の左足大腿部のみ嵩高部材１９ｂで支えられ、右足大腿部の方は左足のように持ち上げ気味に支えられるようなことはないので、右足を動かすのに支障がない。
【００２２】
こうすると、不自由な方の左足は嵩高部材１９ｂにより安定に支えられ、ずれたりしないようにされ、一方正常な右足は、自由に動かせる。このため右足で床面を蹴り車椅子１を移動（前進）させたりする動作が可能になる。
【００２３】
このように片方の足が不自由で、もう片方が正常な場合に、随意に嵩高部材１９ａ，１９ｂを必要な足の方にだけ設け、他方は外すことができる椅子用マット４であれば、このような移動動作が可能になり、車椅子利用者にとって好都合である。
【００２４】
【発明の効果】
本発明（請求項１）によれば、車椅子の座面に敷かれる椅子用マットに、着座者の大腿部を臀部座面より少し持ち上げ気味に受ける着脱自在な嵩高部材を備えているので、この嵩高部材により臀部が前方へずれるのを阻止でき、車椅子利用者は安定かつ楽な姿勢を維持することができる。
【００２５】
また嵩高部材は、着座者の左右方向に分割された複数の着脱自在な嵩高部材部分よりなるものであるから、嵩高部材部分の数を変更することにより、患者の体格にあった幅、すなわち患者の大腿部の長さに合うよう嵩高部材の幅を調整することができ、嵩高部材が患者に与える違和感を最小限に抑えることができる。
【００２６】
また臀部にかかる体重を椅子用マットの臀部座面に付加したゲル状部材が受けるから、その変形により体重の分散性がよくなる。
【００２７】
また本発明（請求項２）によれば、嵩高部材を左右大腿部座面ごとに分割し、それぞれ左右大腿部を単独で支える構造とすることができる。かかる構造は、一方の足のみが不自由な場合に有効である。すなわち正常な足の大腿部の嵩高部材部分を外し、この足の運動をしやすくすることができ、他方の不自由な足の大腿部を嵩高部材で支えるのである。このような体の不自由さの程度に応じてより良い使い勝手性を得ることができる。
【図面の簡単な説明】
【図１】本発明の実施形態に係る椅子用マットの斜視図である。
【図２】図１のＡ−Ａ断面図である。
【図３】椅子用マットの大腿部座面に着脱自在とされる嵩多部材の取り付けの様相を示す斜視図である。
【図４】本発明の椅子用マットを敷いた車椅子に着座した様相を示した斜視図である。
【図５】本発明の別の実施形態に係る椅子用マットの斜視図である。
【図６】左片側にのみ嵩高部材を備えた場合の椅子マットの斜視図である。
【符号の説明】
１　車椅子
２　座面
３　着座者
４　椅子用マット
５　クッション部材
７　臀部
８　臀部座面
９　ゲル状部材
１０　大腿部
１１　大腿部座面
１２，１９ａ，１９ｂ　嵩高部材
１３，１８　嵩高部材部分
１６　左右方向の分割線
１７　前後方向の分割線
Ｄ　前後方向の幅
【図１】
2004073713.tif 000003
【図２】
2004073713.tif 000004
【図３】
2004073713.tif 000005
【図４】
2004073713.tif 000006
【図５】
2004073713.tif 000007
【図６】
2004073713.tif 000008